(57)【要約】【課題】毛束が湾曲して次の塗装作業に支障を来すことがなく、次第に毛束に湾曲した癖がつき使用不能になることもなく、塗装用刷毛を最適な状態で保管することができると共に、極めて低廉に作製でき、一つの塗装用容器により多数の塗装用刷毛を安定的に保管でき、さらに、サイズの異なる塗装用容器に汎用的かつ容易に使用できる塗装用刷毛保持具を提供する。【解決手段】本発明の塗装用刷毛保持具１は、本体部２と、本体部２の上部付近に設けられ塗装用刷毛２０の柄２１を挟持し毛束側を下方にして塗装用刷毛２０を起立状態で保持するための挟持手段３と、本体部２の下部付近に設けられ塗装用容器３０の上端開口３１を構成する端縁部３２に本体部２を装着するための装着部４とを有している。【選択図】図２
2013146709.tif 000002
【特許請求の範囲】
【請求項１】
本体部と、該本体部の上部付近に設けられ塗装用刷毛の柄を挟持し毛束側を下方にして塗装用刷毛を起立状態で保持するための挟持手段と、前記本体部の下部付近に設けられ前記塗装用容器の上端開口を構成する端縁部に前記本体部を装着するための装着部とを有していることを特徴とする塗装用刷毛保持具。
【請求項２】
前記塗装用刷毛保持具は、一本の前記塗装用刷毛を挟持する一つの前記挟持手段を有し、前記塗装用刷毛の数に対応した数の前記塗装用刷毛保持具を、前記装着部により前記塗装用容器の上端開口を構成する端縁部に複数装着して使用するものである請求項１に記載の塗装用刷毛保持具。
【請求項３】
前記塗装用刷毛保持具は、前記装着部により前記塗装用容器の上端開口を構成する端縁部に装着されると、前記挟持手段が前記塗装用容器の内側に向かって突出するように設けられている請求項１または２に記載の塗装用刷毛保持具。
【請求項４】
前記装着部は、前記塗装用容器の上端開口を構成する端縁部の上面に当接する上面当接部と、前記塗装用容器の外面に当接する外面当接部と、前記塗装用容器の内面に当接する内面当接部とを有している請求項１ないし３のいずれかに記載の塗装用刷毛保持具。
【請求項５】
前記塗装用刷毛保持具は、樹脂材料にて一体成形されている請求項１ないし４のいずれかに記載の塗装用刷毛保持具。
【発明の詳細な説明】
【技術分野】
【０００１】
本発明は、塗装用刷毛の保管に使用して好適な塗装用刷毛保持具に関するものである。
【背景技術】
【０００２】
従来より、塗装作業終了後の塗装用刷毛は、付着した塗料をシンナーなどの溶剤を用いて洗  浄した後、塗装用容器の上端開口より毛束側から挿入して保管していた。
【０００３】
しかし、この保管方法によると、毛束が塗装用容器の内底面に押し付けられるため、毛束が湾曲して次の塗装作業に支障を来し、それを繰り返すと次第に毛束に湾曲した癖がつき使用不能になることもあった。
【０００４】
この問題を解決するものとして、本件出願人は先に特開平２０１１−２１８３１４号公報の塗装用刷毛保持具を提案している。
【０００５】
この塗装用刷毛保持具は、塗装用容器の上端開口に架橋される架橋部と、架橋部に設けられ塗装用容器の上端開口を構成する端縁部に架橋部を装着するための装着部と、架橋部に設けられ塗装用刷毛の柄を挟持して毛束側を下方にして起立状態で保持するための挟持手段とを有するものであり、毛束に湾曲した癖がつかないように刷毛を保管できる点で有用である。
【先行技術文献】
【特許文献】
【０００６】
【特許文献１】特開平２０１１−２１８３１４号公報
【発明の概要】
【発明が解決しようとする課題】
【０００７】
しかし、構造が複雑で製作コストが嵩む点、構造的に保持可能な刷毛の本数が少量で制限される点、塗装用容器の上端開口に架橋されるため装着できる塗装用容器がサイズ的に制限される点、塗装用刷毛の保持に際して力学的に不安定な側面を有する点など問題もあった。
【０００８】
そこで、本発明の課題は、毛束が湾曲して次の塗装作業に支障を来すことがなく、次第に毛束に湾曲した癖がつき使用不能になることもなく、塗装用刷毛を最適な状態で保管することができると共に、極めて低廉に作製でき、一つの塗装用容器により多数の塗装用刷毛を安定的に保管でき、さらに、サイズの異なる塗装用容器に汎用的かつ容易に使用できる塗装用刷毛保持具を提供することにある。
【課題を解決するための手段】
【０００９】
上記課題を解決するものは、本体部と、該本体部の上部付近に設けられ塗装用刷毛の柄を挟持し毛束側を下方にして塗装用刷毛を起立状態で保持するための挟持手段と、前記本体部の下部付近に設けられ前記塗装用容器の上端開口を構成する端縁部に前記本体部を装着するための装着部とを有していることを特徴とする塗装用刷毛保持具である。
【００１０】
前記塗装用刷毛保持具は、一本の前記塗装用刷毛を挟持する一つの前記挟持手段を有し、前記塗装用刷毛の数に対応した数の前記塗装用刷毛保持具を、前記装着部により前記塗装用容器の上端開口を構成する端縁部に複数装着して使用するものであることが好ましい。前記塗装用刷毛保持具は、前記装着部により前記塗装用容器の上端開口を構成する端縁部に装着されると、前記挟持手段が前記塗装用容器の内側に向かって突出するように設けられていることが好ましい。前記装着部は、前記塗装用容器の上端開口を構成する端縁部の上面に当接する上面当接部と、前記塗装用容器の外面に当接する外面当接部と、前記塗装用容器の内面に当接する内面当接部とを有していることが好ましい。前記塗装用刷毛保持具は、樹脂材料にて一体成形されていることが好ましい。
【発明の効果】
【００１１】
請求項１に記載した塗装用刷毛保持具によれば、毛束が湾曲して次の塗装作業に支障を来すことがなく、次第に毛束に湾曲した癖がつき使用不能になることもなく、塗装用刷毛を最適な状態で保管することができると共に、極めて低廉に作製でき、一つの塗装用容器により多数の塗装用刷毛を安定して保管でき、さらに、サイズの異なる塗装用容器に汎用的かつ容易に使用できる。
請求項２に記載した塗装用刷毛保持具によれば、請求項１の効果に加え、塗装用容器において保管する塗装用刷毛の数と同数の塗装用刷毛保持具を用いて効率的かつ安定した状態で保管できる。
請求項３に記載した塗装用刷毛保持具によれば、請求項１または２の効果に加え、塗装用刷毛を塗装用容器内でより確実に保持させることができる。
請求項４に記載した塗装用刷毛保持具によれば、請求項１ないし３の効果に加え、塗装用刷毛保持具をより安定して塗装用容器に装着することができる。
請求項５に記載した塗装用刷毛保持具によれば、請求項１ないし４の効果に加え、塗装用刷毛保持具をより低廉かつ容易に作製することができる。
【図面の簡単な説明】
【００１２】
【図１】本発明の塗装用刷毛保持具の一実施例の斜視図である。
【図２】図１に示した塗装用刷毛保持具の使用状態を説明するための斜視図である。
【図３】本発明の塗装用刷毛保持具の他の実施例の斜視図である。
【図４】図３に示した塗装用刷毛保持具の使用状態を説明するための斜視図である。
【発明を実施するための形態】
【００１３】
本発明では、本体部２と、本体部２の上部付近に設けられ塗装用刷毛２０の柄２１を挟持し毛束側を下方にして塗装用刷毛２０を起立状態で保持するための挟持手段３と、本体部２の下部付近に設けられ塗装用容器３０の上端開口３１を構成する端縁部３２に本体部２を装着するための装着部４とを有していることにより、毛束が湾曲して次の塗装作業に支障を来すことがなく、次第に毛束に湾曲した癖がつき使用不能になることもなく、塗装用刷毛を最適な状態で保管することができると共に、極めて低廉に作製でき、一つの塗装用容器により多数の塗装用刷毛を安定的に保管でき、さらに、サイズの異なる塗装用容器に汎用的かつ容易に使用できる塗装用刷毛保持具を実現した。
【実施例１】
【００１４】
本発明の塗装用刷毛保持具を図１または図２に示した一実施例を用いて説明する。
この実施例の塗装用刷毛保持具１は、本体部２と、本体部２の上部付近に設けられ塗装用刷毛２０の柄２１を挟持し毛束側を下方にして塗装用刷毛２０を起立状態で保持するための挟持手段３と、本体部２の下部付近に設けられ塗装用容器３０の上端開口３１を構成する端縁部３２に本体部２を装着するための装着部４とを有している。以下、各構成について順次詳述する。
【００１５】
本体部２は、長尺状帯状体に形成されており、塗装用容器３０に装着すると、図２に示すように、塗装用容器３０の内側に向かって湾曲する弓状体に構成さている。本体部２がこのような弓状体に構成されることにより、塗装用刷毛２０を塗装用容器３０内にてより確実に保持することができる。
【００１６】
なお、この実施例の本体部２は長尺状帯状体にて形成されているが、これに限定されるものではなく、後述する挟持手段３および装着部４を設けることができるものであればどのような形態のものでもよく、例えば棒状体などであってもよい。
【００１７】
挟持手段３は、塗装用刷毛２０の柄２１を挟持し毛束２２側を下方にして塗装用刷毛２０を起立状態で保持するためのものである。
【００１８】
挟持手段３は、本体部２の上部に設けられており、図２に示すように、塗装用刷毛保持具１が装着部４により塗装用容器３０の上端開口３１を構成する端縁部３２に装着されると、挟持手段３が塗装用容器３０の内側に向かい、かつ水平方向に突出するように設けられている。これにより、塗装用刷毛２０を塗装用容器３０内でより確実に保持することができる。
【００１９】
より具体的には、この実施例の挟持手段３は、本体部２の上部から２枚の帯状体が水平方向に対向して延出され、それぞれ内側に屈曲されて構成された一対の挟持体３Ａ，３Ｂを有しており、これら挟持体３Ａ，３Ｂ間に塗装用刷毛３０の柄３１が挟持されて塗装用刷毛３０が保持されるように構成されている。この実施例の挟持手段３は、このような２枚の帯状体が屈曲されて形成されることで、簡素な構造でより低廉に挟持手段が形成できるよう構成されている。
【００２０】
また、挟持体３Ａ，３Ｂの先端部は、２枚の帯状体の先端部がそれぞれ本体部２側に向かって斜め内側に屈曲されることにより、塗装用刷毛３０の柄３１の挿入部を構成しており、これにより、塗装用刷毛３０の柄３１が挟持体３Ａ，３Ｂ間に容易に侵入可能に構成されている。
【００２１】
さらに、挟持体３Ａ，３Ｂは垂直方向に線状に近接または接触する一対の凸条部３ａ，３ｂを有し、さらに、凸条部３ａ，３ｂより本体部２側に離間した位置に一対の凸条部３ｃ，３ｄをそれぞれ有している。これらにより、塗装用刷毛３０の柄３１を両側から押圧して挟持することで、細い柄のものから太い柄のものまで、より安定して保持させることができるよう構成されている。
【００２２】
このように、本発明の塗装用刷毛保持具１は、塗装用刷毛３０の柄３１を挟持可能な挟持手段３を有しているため、柄の長さが異なる塗装用刷毛でも、挟持する柄の位置を調節することで、毛束が塗装用容器の内底面に接触しない状態で保持することができる。
【００２３】
装着部４は、塗装用刷毛保持具１を塗装用容器３０の上端開口３１を構成する端縁部３２に装着するための部位である。
【００２４】
なお、本願でいう「塗装用容器」とは、上端が開口した有底容器であればよく、図２に示したような塗装時に使用され把手部３３を備えた専用容器の他、塗料販売時に使用される塗料容器なども含まれる。
【００２５】
この実施例の装着部４は、図１に示すように、本体部２の下部付近に設けられ、内面に係止片部４Ａを有している。具体的には、係止片部４Ａは、本体部２の内面から略水平方向に延出した延出部４ａと、延出部４ａの先端辺部から下方に向かって屈曲して形成された屈曲片部４ｂを有している。
【００２６】
さらに、装着部４は、延出部４ａの下面で構成され、塗装用容器３０の上端開口３１を構成する端縁部３２の上面に当接する上面当接部４ｃと、装着部４の最下部において内側に向かって若干突出するように構成され、塗装用容器の外面に当接する外面当接部４ｄと、屈曲片部４ｂの最下部において本体部２側に若干突出するように構成され、塗装用容器３０の内面に当接する内面当接部４ｅとを有している。この実施例の装着部４は、これら上面当接部４ｃ、外面当接部４ｄおよび内面当接部４ｅにより三方向から塗装用容器３０を押圧することによって、簡素な構造で塗装用刷毛保持具１が塗装用容器３０により確実に装着されるように構成されている。
【００２７】
そして、塗装用刷毛保持具１を塗装用容器３０の上端開口３１を構成する端縁部３２に装着する場合は、塗装用刷毛保持具１を端縁部３２の上方から降下させ、本体部２と係止片部４Ａとの間隙に端縁部３２を挿嵌するのみであり極めて容易に装着できる。
【００２８】
ただし、装着部４の構造はこの実施例のものに限定されるものではなく、塗装用容器３０の上端開口３１を構成する端縁部３２に装着できるものであればどのようなものでもよい。
【００２９】
なお、本発明の塗装用刷毛保持具は、どのような材質にて構成されていてもよいが、この実施例のように、樹脂材料にて一体成形されていることが好ましい。これにより、塗装用刷毛保持具をより低廉かつ容易に作製することができる。
【００３０】
つぎに、本発明の塗装用刷毛保持具１の使用方法について説明する。
この塗装用刷毛保持具１を使用するに際しては、図２に示すように、装着部４の係止片部４Ａと本体部２との間隙に、塗装用容器３０の上端開口３１を構成する端縁部３２を挿嵌して塗装用刷毛保持具１を塗装用容器３０に装着させる。つぎに、溶剤にて毛束２２を洗浄した塗装用刷毛２０の柄２１を挟持手段３にて保持させる。この時、塗装用刷毛２０の毛束２２が塗装用容器３０の内底面に接触しないように、挟持手段３にて保持する柄２１の位置を調節して保持させる。多数の塗装用刷毛２０を保管する場合は、塗装用刷毛２０と同数の塗装用刷毛保持具１を塗装用容器３０の上端開口３１を構成する端縁部３２に装着し、挟持手段３にてそれぞれ同様に保持させる。
【００３１】
このように、本発明の塗装用刷毛保持具は、塗装用容器内で毛束が内底面に当接しない起立状態で塗装用刷毛を保持できるため、毛束が湾曲して次の塗装作業に支障を来すことがなく、次第に毛束に湾曲した癖がつき使用不能になることもなく、塗装用刷毛を最適な状態で保管することができる。また、簡素な形態であるため極めて低廉に作製できる。さらに、塗装用容器の上端開口を構成する端縁部において小さな占有スペースで装着できるため、一つの塗装用容器により多数の塗装用刷毛を安定的に保管できる。さらに、装着部の形態がサイズの異なる塗装用容器に汎用的に装着できるため極めて容易に使用できる。
【００３２】
さらに、図３または図４に示した本発明の塗装用刷毛保持具の他の実施例について説明する。
この実施例の塗装用刷毛保持具１０と前述した塗装用刷毛保持具１との基本的な相違は、挟持手段の形態であり他は同様である。同一構成部分については同一符号を付し説明を省略する。
【００３３】
この実施例の挟持手段１３は、いわゆる洗濯バサミの擬態形状に形成されている。具体的には、挟持手段１３は、図３に示すように、垂直方向に延在する軸部材１３ａと、軸部材１３ａを支点として連結された一対の挟持部材１３Ａ，１３Ｂと、弾性部材（図示しない）とから構成されており、挟持部材１３Ａ，１３Ｂは、それぞれ弾性部材により付勢されて通常時では閉じている挟持片部１３ｂと、挟持片部１３ｂの反対（後方）側に設けられ挟持片部１３ｂを開くための把持片部１３ｃをそれぞれ有している。
【００３４】
そして、この実施例の塗装用刷毛保持具１０は、本体部２の上部に湾曲して設けられた挟持手段固定片部１２上に、軸部材１３ａを介して挟持手段１３が固定されており、塗装用刷毛２０の柄２１を挟持する場合は、図４に示すように、把持片部１３ｃを両側から押圧して挟持片部１３ｂを開いて柄２１を挟持させることができるように構成されている。
【００３５】
このように、本発明の塗装用刷毛保持具における挟持手段の形態は、塗装用刷毛保持具１の挟持手段３の形態に限定されるものではなく、塗装用刷毛の柄を挟持して毛束側を下方にして起立状態で保持可能なものであればどのようなものでもよい。
【符号の説明】
【００３６】
１    塗装用刷毛保持具
２    本体部
３    挟持手段
４    装着部
【図１】
2013146709.tif 000003
【図２】
2013146709.tif 000004
【図３】
2013146709.tif 000005
【図４】
2013146709.tif 000006